(57)【特許請求の範囲】
【請求項１】
ビデオエンジニアによるコントロールパネルの操作に基づいてカメラコントロールユニットから像の明るさを制御するカメラシステムに設けられる撮影制御装置であって、
１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域として、ボリュームの位置を表す位置情報を入力し、前記位置情報が前記アイリス制御領域内にあるときには前記増幅率を固定とするとともに前記アイリス開口径が前記位置情報に応じて変化する値となるように制御し、前記位置情報が前記増幅率制御領域内にあるときには前記アイリス開口径を固定とするとともに前記増幅率が前記位置情報に応じて変化する値となるように制御する、制御部と、
１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域とするボリューム一体制御オンモードとするか、前記ボリュームの可動領域の全体を前記アイリス開口径の制御のための領域とするか前記増幅率の制御のための領域とするかいずれか一方のみとするボリューム一体制御オフモードとするかを切り替えるモード切替部と、
を具備し、
前記モード切替部が、前記ボリューム一体制御オフモードから前記ボリューム一体制御オンモードに切り替え、あるいは前記ボリューム一体制御オンモードから前記ボリューム一体制御オフモードに切り替えた場合には、前記制御部は、モード切替前におけるアイリス開口径からモード切替後におけるアイリス開口径へアイリス開口径がなめらかに変化するように制御するとともに、モード切替前における増幅率からモード切替後における増幅率へ前記映像信号増幅手段における増幅率がなめらかに変化するように制御する、
撮影制御装置。
【請求項２】
設定情報を記憶する設定記憶部、
をさらに具備し、
前記ボリュームの可動領域は、前記アイリス制御領域と前記増幅率制御領域とのみから成り、
前記設定記憶部は、前記アイリス制御領域と前記増幅率制御領域との境界の位置の情報を前記設定情報の一部として記憶する、
ことを特徴とする請求項１に記載の撮影制御装置。
【請求項３】
１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域とするボリューム一体制御オンモードとするか、カメラに入光する光の光量の測定結果に基づいて前記アイリス開口径を自動的に制御するオートアイリスモードとするかを切り替えるオートアイリスモード切替部、
をさらに具備し、
前記オートアイリスモード切替部が、前記ボリューム一体制御オンモードから前記オートアイリスモードに切り替え、あるいは前記オートアイリスモードから前記ボリューム一体制御オンモードに切り替えた場合には、前記制御部は、当該モード切替前におけるアイリス開口径からモード切替後におけるアイリス開口径へアイリス開口径がなめらかに変化するように制御するとともに、モード切替前における増幅率からモード切替後における増
幅率へ前記映像信号増幅手段における増幅率がなめらかに変化するように制御する、
ことを特徴とする請求項１または請求項２に記載の撮影制御装置。
【請求項４】
コンピューターを、請求項１から３までのいずれか一項に記載の撮影制御装置として機能させるためのプログラム。
【発明の詳細な説明】
【技術分野】
【０００１】
本発明は、撮影制御装置およびプログラムに関する。
【背景技術】
【０００２】
テレビ番組等の映像コンテンツを制作する際、カメラマンはテレビカメラの操作を行い、ビデオエンジニア（video engineer、以下において「ＶＥ」とも呼ぶ）が映像レベルの調整を行う。ＶＥは、カメラコントロールユニット（camera control unit、以下において「ＣＣＵ」とも呼ぶ）を操作することにより、映像レベルを調整する。具体的には、ＶＥは、ＣＣＵを操作することにより、アイリスの調整と、ステップゲインの調整を行う。ここで、アイリス（iris）とは、入射する光量を調整するためのレンズの絞りである。また、ステップゲインとは、入光する光の量が足りない場合に、映像信号の感度を上げるための調整である。ステップゲインによる信号の増幅（増感）の量は、段階的な値として設定される。例えば、ステップゲインによる増感量は、＋３ｄＢ（デシベル）、＋６ｄＢ、＋９ｄＢ、＋１２ｄＢなどといった値に設定される。ステップゲインによるゲインを上げ過ぎると、映像におけるノイズが目立つため、通常は＋６ｄＢ程度が上限と考えられることが多い。ＶＥは、こういったアイリス調整とステップゲインの調整とを行いながら、質の高い映像が得られるよう光量の制御を行う。
【０００３】
上で述べたステップゲインの代わりに、マスターゲインを用いて調整を行う場合もある。ステップゲインが増幅の度合いを段階的にしか設定できないのに対して、マスターゲインは無段階に増幅の度合いを変えることができる。マスターゲインを用いる場合、通常は、＋０ｄＢから＋６ｄＢ程度までの間の範囲で、増感の度合いを無段階に変更することが行われる。ステップゲインを用いる場合には、撮影中に感度の切り替えを行うと、撮影した映像における切り替えショックが発生していた。しかし、マスターゲインを使用することによって、明暗差のある場面（例えば、屋外の撮影から屋内の撮影への移動など）を撮影する場合にも、切り替えショックを起こさず、スムーズに感度を変えることが可能となった。
【０００４】
特許文献１には、映像信号の利得を制御する技術が記載されている。具体的には、特許文献１には、映像信号に利得係数を乗算して増幅し、増幅した映像信号を本実施例の利得設定回路の外部に送出する乗算器１０３が記載されている。また、ゲイン制御器１０４は、乗算器１０３の利得を制御するために、乗算すべき利得係数を乗算器１０３に送出する。ステップスイッチ１０５及びファインスイッチ１０６は、ゲイン制御器１０４の利得係数をセットするのに用いられる。
【先行技術文献】
【特許文献】
【０００５】
【特許文献１】特開２０１０−０４１５３３号公報
【発明の概要】
【発明が解決しようとする課題】
【０００６】
しかしながら、従来技術においては、マスターゲインの調整は、アイリスボリュームとは別のつまみを用いて行うため、ＶＥによる操作が煩雑になるという問題があった。つまり、前述の通り、一人のＶＥが複数のカメラの調整を担当するため、両手を用いてマスターゲインの調整とアイリス開口径の調整を行う場合には、迅速な操作が行いにくいという問題があった。
例えば、映像コンテンツの制作において、一旦暗い室内に移動した後、再度明るい屋外に出るような演出があった場合、急激に明るくなる事が多い。このような場合には、アイリス操作とマスターゲイン操作の両方を素早く同時に行う必要があるが、迅速かつ同時に正しい操作を行うことはやや困難である。また、マスターゲインが上がったままアイリスを絞ると、最悪の場合には絞りすぎてクローズしてしまうことも懸念される。また、撮影の状況に応じては、アイリス操作やマスターゲイン操作の他に、他の調整（例えば、色調整）をも迅速に行わなければならない。したがって、より簡単にＶＥが操作できるようにすることが望まれる。
【０００７】
本発明は、上記のような事情を考慮して為されたものであり、撮影する映像の明るさをより簡単な操作で調整することを可能とする撮影制御装置およびプログラムを提供しようとするものである。
【課題を解決するための手段】
【０００８】
［１］上記の課題を解決するため、本発明の一態様による撮影制御装置は、ビデオエンジニアによるコントロールパネルの操作に基づいてカメラコントロールユニットから像の明るさを制御するカメラシステムに設けられる撮影制御装置であって、１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域として、ボリュームの位置を表す位置情報を入力し、前記位置情報が前記アイリス制御領域内にあるときには前記増幅率を固定とするとともに前記アイリス開口径が前記位置情報に応じて変化する値となるように制御し、前記位置情報が前記増幅率制御領域内にあるときには前記アイリス開口径を固定とするとともに前記増幅率が前記位置情報に応じて変化する値となるように制御する、制御部、を具備することを特徴とする。
【０００９】
［２］また、本発明の一態様は、上記の撮影制御装置において、設定情報を記憶する設定記憶部、をさらに具備し、前記ボリュームの可動領域は、前記アイリス制御領域と前記増幅率制御領域とのみから成り、前記設定記憶部は、前記アイリス制御領域と前記増幅率制御領域との境界の位置の情報を前記設定情報の一部として記憶する、ことを特徴とする。
【００１０】
［３］また、本発明の一態様は、上記の撮影制御装置において、１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域とするボリューム一体制御オンモードとするか、前記ボリュームの可動領域の全体を前記アイリス開口径の制御のための領域とするか前記増幅率の制御のための領域とするかいずれか一方のみとするボリューム一体制御オフモードとするかを切り替えるモード切替部、をさらに具備し、前記モード切替部が、前記ボリューム一体制御オフモードから前記ボリューム一体制御オンモードに切り替え、あるいは前記ボリューム一体制御オンモードから前記ボリューム一体制御オフモードに切り替えた場合には、前記制御部は、モード切替前におけるアイリス開口径からモード切替後におけるアイリス開口径へアイリス開口径がなめらかに変化するように制御するとともに、モード切替前における増幅率からモード切替後における増幅率へ前記映像信号増幅手段における増幅率がなめらかに変化するように制御する、ことを特徴とする。
【００１１】
［４］また、本発明の一態様は、上記の撮影制御装置において、１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域とするボリューム一体制御オンモードとするか、カメラに入光する光の光量の測定結果に基づいて前記アイリス開口径を自動的に制御するオートアイリスモードとするかを切り替えるオートアイリスモード切替部、をさらに具備し、前記オートアイリスモード切替部が、前記ボリューム一体制御オンモードから前記オートアイリスモードに切り替え、あるいは前記オートアイリスモードから前記ボリューム一体制御オンモードに切り替えた場合には、前記制御部は、当該モード切替前におけるアイリス開口径からモード切替後におけるアイリス開口径へアイリス開口径がなめらかに変化するように制御するとともに、モード切替前における増幅率からモード切替後における増幅率へ前記映像信号増幅手段における増幅率がなめらかに変化するように制御する、ことを特徴とする。
【００１２】
［５］また、本発明の一態様は、コンピューターを、上記［１］から［４］までのいずれか一項に記載の撮影制御装置として機能させるためのプログラムである。
【発明の効果】
【００１３】
本発明によれば、これまで２つの手で行っていたアイリス操作とマスターゲイン操作を１つの手で行うことができるようになる。これにより、撮影状況において明るさが急激に変化するときにも、スムーズな映像レベル調整が可能となる。また、これにより、一人の操作者が複数のカメラの映像レベルの調整を迅速に行うことが可能となる。また、アイリス操作とマスターゲイン操作とを１つの手で行えるようになることにより、空いている手で他の調整（色調整等）も従来よりもスムーズに行うことが可能となる。
【図面の簡単な説明】
【００１４】
【図１】本発明の第１実施形態による撮影制御装置の概略機能構成を示すブロック図である。
【図２】同実施形態による撮影制御装置を含んだシステムの概略機能構成を示すブロック図である。
【図３】同実施形態による、カメラコントロールユニットを操作するためのコントロールパネルの例を平面視した平面図である。
【図４】同実施形態による、ボリュームの可動範囲と、ボリュームの使用のしかたについて説明する概略図である。
【図５】本発明の第２実施形態による撮影制御装置の概略機能構成を示すブロック図である。
【図６】本発明の第３実施形態による撮影制御装置の概略機能構成を示すブロック図である。
【発明を実施するための形態】
【００１５】
次に、図面を参照しながら、本発明の実施形態について説明する。
［第１実施形態］
図１は、第１実施形態による撮影制御装置の概略機能構成を示すブロック図である。図示するように、撮影制御装置１は、制御部１１と、設定記憶部１２とを含んで構成される。
【００１６】
同図において、ボリューム８１は、ビデオエンジニア（ＶＥ）が行う操作に応じた値を出力する。ボリューム８１は、通常、円形のつまみを備えている。ボリューム８１が備えるつまみは、円の中心を通る軸を中心として回転可能となるように構成されている。そして、ボリューム８１は、つまみの位置に応じた値を表す信号（位置情報）を出力する。ボリューム８１は、例えば、可変抵抗やエンコーダーなどを用いて、デジタル信号あるいはアナログ信号として位置情報を出力する。なお、ボリューム８１自体は、既存技術により実現される。
【００１７】
そして、撮影制御装置１はボリューム８１からボリュームの位置情報である値ｘ（０≦ｘ≦１）を入力とし、設定された情報にも基づいて、アイリス８２を制御するための値ｆと、信号増幅手段８３を制御するためのゲイン値ｇとを出力する。なお、同図に示す形態では、ボリューム８１を撮影制御装置１の外部に設けているが、ボリューム８１を撮影制御装置１の内部に含んで構成するようにしてもよい。
【００１８】
アイリス８２は、映像を撮影するためのカメラ（テレビカメラ）に入光する光量を調節するための絞り機構である。アイリス８２は、通常は、カメラ内における撮影光学系（レンズ群）と撮像素子との間に設けられ、複数の羽根板を組み合わせた機構により、開口径を変えるものである。なお、アイリス８２は、映像を撮影するための光路上の、適切な他の位置に設けられてもよい。アイリス８２は、開口径を変えることにより、撮像光学系を通る光の一部を遮光し、その光の他の部分だけが撮像素子に届くように作用する。アイリス８２による開口部が円形である場合、あるいは疑似的に円形であると見なしても良い場合、アイリス８２は、開口径の２乗に比例する光量の光を通す。
アイリス８２に入力される値ｆは、（レンズの焦点距離）／（レンズの有効口径）で表される。ここで「／」は、除算の演算子である。つまり、アイリス８２は、入力される値ｆに応じて、レンズの有効口径を変える。
【００１９】
信号増幅手段８３（映像信号増幅手段）は、上記のテレビカメラが撮影した映像の信号を増幅する機能を有する。この信号増幅手段８３により、テレビカメラが撮影した映像の明るさを変えることができる。なお、信号増幅手段８３自体は、従来のマスターゲインの技術を適用することにより実現可能である。信号増幅手段８３に入力される値ｇの単位は、デシベル（ｄＢ）である。つまり、値ｇは、信号増幅手段８３による映像信号の増幅率の対数である。信号増幅手段８３自体は、既存の技術により実現される。そして、信号増幅手段８３は、入力される値ｇに応じて、映像信号を増幅する。なお、信号増幅手段８３に入力される値ｇは、正、零、負のいずれであってもよい。ｇ＞０の場合には、信号増幅手段８３は映像信号を増感して出力する。ｇ＜０の場合には、信号増幅手段８３は映像信号を減感して出力する。ｇ＝０の場合には、信号増幅手段８３は映像信号の明るさを変えない。
【００２０】
次に、撮影制御装置１が内部に備える各機能について説明する。
制御部１１は、ボリューム８１から取得した値ｘの情報と、設定記憶部１２に記憶されている情報とに基づいて、アイリス８２と信号増幅手段８３とを制御する。具体的には、制御部１１は、アイリス８２を制御するための値ｆと、信号増幅手段８３を制御するためのゲイン値ｇとを出力する。
設定記憶部１２は、制御部１１がアイリス８２と信号増幅手段８３とを制御するために必要な設定情報を記憶する。具体的には、設定記憶部１２は、次の（１）から（５）までの設定情報を記憶する。
（１）ボリューム８１における制御の切替位置の情報。後述するｘｐの値。
（２）アイリス８２を制御するための値ｆの最大値ｆｍａｘ、またはｆｍａｘに関連して後述するｄｍａｘの値。
（３）アイリス８２を制御するための値ｆの最小値ｆｍｉｎ、またはｆｍｉｎに関連して後述するｄｍｉｎの値。
（４）信号増幅手段８３を制御するためのゲイン値ｇの最小値ｇｍｉｎ。
（５）信号増幅手段８３を制御するためのゲイン値ｇの最大値ｇｍａｘ。
【００２１】
図２は、本実施形態による撮影制御装置を含んだシステムの概略機能構成を示すブロック図である。図示するように、映像制作システム８は、カメラコントロールユニット６−１〜６−８と、映像処理装置７とを含んで構成される。
なお、映像制作システム８を「カメラシステム」と呼ぶ場合がある。また、映像制作システム８と複数台のカメラ５とを含んだシステムの全体を「カメラシステム」と呼ぶ場合がある。映像制作システム８には、複数のカメラ５−１〜５−８を接続することができる。なお、以下において、カメラコントロールユニット６−１〜６−８を、単に「カメラコントロールユニット６」と呼ぶ場合がある。また、カメラ５−１〜５−８を、単に「カメラ５」と呼ぶ場合がある。また、カメラコントロールユニットは、「ＣＣＵ」と呼ばれる場合がある。
【００２２】
カメラ５−１は、映像を撮影するためのテレビカメラである。カメラ５−１は、撮影した映像の信号を、ケーブルを介して、あるいは電波等によって出力する。
カメラコントロールユニット６−１は、カメラ５−１に接続される。そして、カメラコントロールユニット６−１は、カメラ５−１を制御するとともに、カメラ５−１によって撮影された映像の信号を取得し、映像処理装置７に渡す。
なお、ここではカメラ５−１とカメラコントロールユニット６−１の組み合わせについて説明したが、カメラ５−２〜５−８もまた、それぞれ、カメラコントロールユニット６−２〜６−８に接続され、同様に映像を撮影する。
なお、同図では、カメラ５が８台、カメラコントロールユニット６が８台で構成されているシステムを例として示したが、カメラ５の台数は任意であり、各々のカメラ５に対応してカメラコントロールユニット６を接続してシステムを構成するようにしてよい。
【００２３】
映像処理装置７は、カメラコントロールユニット６−１〜６−８から出力される映像信号を受け取り、これらの映像を用いた映像の制作に用いられる。具体的には、映像処理装置７は、複数のカメラ５によって撮影された映像を切り替えたり（スイッチング）、複数の映像を合成したりすることができる。
【００２４】
例えば、イベント等の中継のテレビ番組を制作するとき、映像制作システム８は中継車（中継に必要な機器を搭載した自動車）内に設けられる。そして、複数のカメラ５が、それぞれのカメラマンによって操作され、映像を撮影する。各々のカメラ５と、それに対応するカメラコントロールユニット６とは、数十メートルから数百メートル程度のケーブルで接続される。あるいは、カメラ５と、それに対応するカメラコントロールユニット６とが、無線信号（電波）によって双方向に信号を送るようにしてもよい。また、中継番組に限らず、放送局内で映像が撮影される場合にも、図２に示すようなシステム構成としてよい。
【００２５】
カメラコントロールユニット６は、前述の通り、カメラ５を制御する機能を有する。そのため、各々のカメラコントロールユニット６にはコントロールパネルが設けられており、ビデオエンジニアがそのコントロールパネルを用いた操作を行えるようになっている。コントロールパネルは、コントロール卓上に並べられており、各カメラ５を独立に制御することができる。通常は、一人のビデオエンジニアが複数台のカメラコントロールユニット６を担当し、各々のコントロールパネルを操作する。なお、コントロールパネル上には、ボリューム８１を操作するためのつまみが設けられている。ボリューム８１の操作に関しては、後で詳述する。
【００２６】
ここで、撮影制御装置１を、例えば、カメラコントロールユニット６の内部に設けるようにしてもよい。また、撮影制御装置１を、カメラ５の内部に設けるようにしてもよい。また、撮影制御装置１をコンピュータープログラムの機能として実現する場合には、カメラコントロールユニット６が備えるコンピューター上で、あるいはカメラ５が備えるコンピューター上で、そのプログラムを実行するようにしてもよい。また、カメラコントロールユニット６とカメラ５との間に撮影制御装置１を設けるようにしてもよい。これらのいずれの場合も、撮影制御装置１は、コントロールパネルに設けられたボリューム８１が示す値ｘの信号を取得し、その値ｘに応じて、アイリス８２を制御するための値ｆの信号と、信号増幅手段８３を制御するための値ｇの信号とを出力する。
【００２７】
図３は、カメラコントロールユニットを操作するためのコントロールパネルの例を平面視した平面図である。同図において、コントロールパネル３０は、多数の押しボタンスイッチやつまみを有している。これらの押しボタンスイッチやつまみの一部は、カメラ５を制御するための操作に用いられる。このコントロールパネル３０が１台のカメラコントロールユニット６を操作するために用いられる。そして、複数台の１台のカメラコントロールユニット６を操作するためには、複数のコントロールパネル３０が並べてコントロール卓上に配置される。コントロールパネル３０は、円形のボリューム８１を備える。このボリューム８１は、円の中心をパネル面に垂直に通る軸を中心として回転するよう操作することが可能である。ボリューム８１については、後の図を参照しながらさらに詳細に説明する。
【００２８】
図４は、ボリュームの可動範囲と、本実施形態におけるボリュームの使用のしかたについて説明する概略図である。
図４（ａ）は、ボリュームの可動範囲とその出力値との関係を示す概略図である。同図は、ボリューム８１のつまみを上方向から（操作をするビデオエンジニアの側から）平面視しているものである。ボリューム８１のつまみには、指示線が付けられている。ビデオエンジニアは、この指示線により、ボリューム８１のおよその位置を視認できる。ボリューム８１のつまみは、破線矢印で示す範囲内で回転させることができるようになっている。便宜上、この破線矢印の左端の位置を０％として、この破線矢印の右端の位置を１００％とする。また、ボリューム８１の位置がこの破線矢印の範囲の外に出ないように、ボリューム８１は、物理的なストッパーの機構を０％の位置および１００％の位置に備えている。ボリュームの位置は、この範囲内の値に対応する。即ち、ボリューム８１は、その位置に応じて値ｘ（０≦ｘ≦１）を出力する。
【００２９】
図４（ｂ）は、ボリュームの可動範囲内に設定された点Ｐと、その点Ｐを境界とする各領域での制御の方法を示す概略図である。ここでは、便宜上、ボリューム８１の０％の位置（ｘ＝０）を点Ａと呼び、１００％の位置（ｘ＝１）を点Ｂと呼ぶ。点Ｐは、設定により定められる位置である。点Ｐの位置は、設定値ｘｐにより定められる。ただし、０＜ｘｐ＜１である。
本実施形態は、ボリューム８１の位置に応じて、２種類の異なる制御を行うことを可能とする。具体的には、図示する例では、点Ａと点Ｐの間の領域（０≦ｘ≦ｘｐ）では、制御部１１が、マスターゲインの増幅率を制御する値ｇを固定としたまま、ｘの値に応じて、アイリスを制御する値ｆを滑らかに変化させる。この点Ａと点Ｐの間の、アイリスを制御する領域を、「アイリス制御領域」と呼ぶ。また、点Ｐと点Ａの間の領域（ｘｐ≦ｘ≦１）では、制御部１１が、アイリスを制御する値ｆを固定としたまま、ｘの値に応じて、マスターゲイン（信号増幅手段）の増幅率を制御する値ｇを滑らかに変化させる。この点Ｐと点Ｂの間の、信号増幅手段における増幅率を制御する領域を、「増幅率制御領域」と呼ぶ。つまり、上記の点Ｐは、アイリス制御領域と増幅率制御領域との境界の位置である。そして、ｘｐの値は、境界である点Ｐの位置を表す情報である。これにより、ビデオエンジニアは、ボリューム８１のみを操作することによって、アイリスとマスターゲインの増幅率との両方を変化させることができる。
【００３０】
具体的には、ボリュームの位置ｘを入力した制御部１１は、下に述べる方法でアイリス８２を制御する値ｆを求め、出力する。また同様に、制御部１１は、下に述べる方法で信号増幅手段８３を制御する値ｇを求め、出力する。
【００３１】
制御部１１は、０≦ｘ≦ｘｐにおける値ｆを、式（１）によって求める。
【００３２】
【数１】
0006655447.tif 000002
【００３３】
ここで、ｆ値の最大値として設定した値をｆｍａｘとする。また、ｆ値の最小値として設定した値をｆｍｉｎとする。なお、既に述べたｆ値の定義によれば、ｆ値が大きいほどカメラ５の撮像光学系の開口径は小さく、ｆ値が小さいほどカメラ５の撮像光学系の開口径は大きい。つまり、ｆ値が大きいほどカメラ５は入射光量を制限した状態で撮影を行い、ｆ値が小さいほどカメラ５は入射光量の制限を少なくした状態で撮影を行う。そして、上の式（１）におけるｄｍａｘおよびｄｍｉｎの定義は、それぞれ、式（２）および式（３）で表す通りである。
【００３４】
【数２】
0006655447.tif 000003
【００３５】
【数３】
0006655447.tif 000004
【００３６】
また、制御部１１は、ｘｐ＜ｘ≦１における値ｆを、式（４）によって求める。
【００３７】
【数４】
0006655447.tif 000005
【００３８】
また、制御部１１は、０≦ｘ≦ｘｐにおける値ｇを、式（５）によって求める。
【００３９】
【数５】
0006655447.tif 000006
【００４０】
また、制御部１１は、ｘｐ＜ｘ≦１における値ｇを、式（６）によって求める。
【００４１】
【数６】
0006655447.tif 000007
【００４２】
なお、式（５）および式（６）において、ｇｍｉｎおよびｇｍａｘは、信号増幅手段８３に対する制御値ｇの、それぞれ、最小値および最大値として設定する値である。
【００４３】
なお、式（１）から式（６）までにおけるｘｐ、ｆｍａｘ（またはｄｍａｘ）、ｆｍｉｎ（またはｄｍｉｎ）、ｇｍｉｎ、ｇｍａｘのそれぞれの値は、既に述べたように、設定値として設定記憶部１２に記憶されている。そして、制御部１１は、式（１）から式（６）までを用いる計算を行う際に、設定記憶部１２からこれらの設定情報を読み出す。
【００４４】
つまり、本実施形態では、ボリュームの可動領域を分割し、それらの一部をアイリス開口径の制御のための領域として、他の部分を映像信号増幅手段の増幅率の制御のための領域とした。
つまり、制御部１１は、１個のボリュームの可動領域を複数の部分領域に予め分割した設定に基づき、前記複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域として、ボリュームの位置を表す位置情報を入力し、前記位置情報が前記アイリス制御領域内にあるときには前記増幅率を固定とするとともに前記アイリス開口径が前記位置情報に応じて変化する値となるように制御し、前記位置情報が前記増幅率制御領域内にあるときには前記アイリス開口径を固定とするとともに前記増幅率が前記位置情報に応じて変化する値となるように制御する。
【００４５】
以上、説明したように、本実施形態によれば、１個のボリュームで、アイリスの開口径と、映像信号増幅手段の増幅率との、両方を調整する操作を行えるようになる。
【００４６】
なお、本実施形態では、つまみを回転させて位置を可変とするボリュームを用いたが、他の形態のボリュームを用いて位置情報を出力させるようにしてもよい。他の形態のボリューム―とは、例えば、つまみをスライドさせるタイプのボリュームである。
また、本実施形態では、ボリュームの可動領域を２つに分割して、各部分領域でアイリス開口径の制御と増幅率の制御を行ったが、代わりに、部分領域の数を３個以上としてもよい。この場合も、各部分領域を、各部分領域でアイリス開口径の制御と増幅率の制御のいずれかに割り当てる。
また、本実施形態では、部分領域の境界の位置（図４（ｂ）における点Ｐ）を、設定により変更可能とした。これにより、操作性を細かく調整することが可能となる。
【００４７】
［第２実施形態］
次に、本発明の第２実施形態について説明する。なお、ここでは本実施形態に特有の事項を中心に説明し、前実施形態において既に説明した事項については説明を省略する場合がある。
本実施形態では、アイリスとマスターゲインとを一体のボリュームで制御するモード（第１実施形態で説明した制御方法）と、アイリスとマスターゲインとを別々のボリューム等の手段で制御するモードとを切り替えられるようにする。
【００４８】
図５は、本実施形態による撮影制御装置の概略機能構成を示すブロック図である。図示するように、撮影制御装置２は、制御部１１と、設定記憶部１２と、モード切替部２１とを含んで構成される。撮影制御装置２の機能構成における特徴は、モード切替部２１を有している点である。
【００４９】
モード切替部２１は、アイリスとマスターゲインとを一体のボリュームで制御する操作モード（これを、便宜上、「モードＡ」あるいは「ボリューム一体制御オンモード」と呼ぶ）と、アイリスとマスターゲインとを別々のボリューム等の手段で制御する操作モード（これを、便宜上、「モードＢ」あるいは「ボリューム一体制御オフモード」と呼ぶ）とを切り替える。モード切替部２１は、例えば、図３（第１実施形態）に示したコントロールパネル上のスイッチをビデオエンジニアが操作することをトリガーとして、モードAとモードBとの間の切替を行う。
モードＡにおいては、１個のボリュームの可動領域を複数の部分領域に予め分割した設定に基づき、複数の部分領域のうちの、少なくとも１個の部分領域をカメラのアイリス開口径の制御のためのアイリス制御領域として、且つ少なくとも他の１個の部分領域を映像信号増幅手段における増幅率の制御のための増幅率制御領域とする。一方、モードＢにおいては、ボリュームの可動領域の全体をアイリス開口径の制御のための領域とするか信号増幅手段における増幅率の制御のための領域とするかいずれか一方のみとする。
【００５０】
モードＢにおいては、アイリスの制御とマスターゲインの制御のために、それぞれ別のボリュームが用いられる。例えば、ボリューム８１がモードＢにおいてアイリス制御に用いられる場合、０≦ｘ≦１（前実施形態と同様、ｘはボリューム８１の位置を表す値）の全領域が、アイリスの制御をするための値ｆを変化させるために用いられる。つまり、ボリューム８１の位置が同じであっても、モードＡの場合とモードＢの場合との間で、アイリスを制御する値ｆが異なる。したがって、モード切替部２１が、モードＡからモードＢに、あるいはモードＢからモードＡに切り替えた場合、ｆの値が不連続に変化することがある。このｆの値の不連続な変化をそのままアイリス８２の制御に適用すると、画面の明るさが急激に変わり、映像における切り替えショックが発生してしまう。
また、モードＢにおいてボリューム８１が信号増幅手段８３の制御のために用いられる場合も、同様である。つまり、モード切替部２１が、モードＡからモードＢに、あるいはモードＢからモードＡに切り替えた場合、ｇの値が不連続に変化して、映像における切り替えショックが発生してしまう場合がある。
【００５１】
そこで、本実施形態においては、モード切替部２１によるモードの切り替えが行われたとき、制御部１１は、所定の時定数に基づいて、切り替え前の制御値から切替後の制御値へのスムーズな移行が起こるような制御を行う。具体的には、例えば、アイリス８２を制御するための制御値ｆに関して、切り替え時点でのｆ値であるｆｓから、切り替え後の目標値としてのｆ値であるｆｔまで、推移過程においてｆ値が連続するように、制御部１１は制御を行う。また、その推移過程において、ｆ値の時間微分である（ｄｆ／ｄｔ）の値が連続するように、制御部１１は制御を行う。また、信号増幅手段８３を制御するための制御値ｇに関しても、切り替え時点でのｇ値であるｇｓから、切り替え後の目標値としてのｇ値であるｇｔまで、推移過程においてｇ値が連続するように、制御部１１は制御を行う。また、その推移過程において、ｇ値の時間微分である（ｄｇ／ｄｔ）の値が連続するように、制御部１１は制御を行う。
【００５２】
なお、上記の時定数として、例えばＴ（単位は、秒）を用いる。このＴの値も、設定値の１つとして、設定記憶部１２に予め記憶させておく。このＴは、モード切替後に、制御値が目標値に達するまでに要する時間である。Ｔの値が小さいほど制御部１１は制御値を急激に変化させ、Ｔの値が大きいほど制御部１１は制御値を緩やかに変化させる。Ｔに関する設定値は任意であるが、例えばＴの長さが数秒程度になるように設定する。
【００５３】
モード切替部２１によるモード切替の後、制御部１１が出力するｆの値およびｇの値は、次の通りである。なお、ｔは、モード切替時点を０としたときの経過時間である。
【００５４】
制御部１１は、０≦ｔ≦（Ｔ／２）において、式（７）によって求められるｆの値を出力する。
【００５５】
【数７】
0006655447.tif 000008
【００５６】
また、制御部１１は、（Ｔ／２）＜ｔ≦Ｔにおいて、式（８）によって求められるｆの値を出力する。
【００５７】
【数８】
0006655447.tif 000009
【００５８】
そして、制御部１１は、T＜ｔにおいて、切り替え後のｆ値であるｆｔを出力する。
【００５９】
なお、式（７）および式（８）において、値ｄｓは、底を２としたときの値ｆｓの対数である。また、値ｄｔは、底を２としたときの値ｆｔの対数である。即ち、それぞれ、式（９）および式（１０）の通りである。
【００６０】
【数９】
0006655447.tif 000010
【００６１】
【数１０】
0006655447.tif 000011
【００６２】
制御部１１は、０≦ｔ≦（Ｔ／２）において、式（１１）によって求められるｇの値を出力する。
【００６３】
【数１１】
0006655447.tif 000012
【００６４】
また、制御部１１は、（Ｔ／２）＜ｔ≦Ｔにおいて、式（１２）によって求められるｇの値を出力する。
【００６５】
【数１２】
0006655447.tif 000013
【００６６】
そして、制御部１１は、T＜ｔにおいて、切り替え後のｇ値であるｇｔを出力する。
【００６７】
本実施形態によれば、以上において説明したように、制御部１１が、モード切替前におけるアイリス開口径からモード切替後におけるアイリス開口径へアイリス開口径がなめらかに変化するように制御するとともに、モード切替前における増幅率からモード切替後における増幅率へ映像信号増幅手段における増幅率がなめらかに変化するように制御する。ここで、アイリス開口径あるいは増幅率が「なめらかに」変化するように制御するということは、アイリス開口径の値あるいは増幅率の値が時間経過に対して連続であり、また、アイリス開口径の時間微分の値あるいは増幅率の時間微分の値が、時間経過に対して連続であるように制御することである。言い換えれば、制御部１１は、アイリス開口径の値あるいは増幅率の値に関して、急激かつ不連続的に変化を生じさせないように制御する。本実施形態の説明において示した数式は、制御部１１がこれらの値をなめらかに変化させるための例である。これにより、モードＡとモードＢとの間でのモード切替の際にも、映像における切り替えショックを回避することができる。そのため、本実施形態によれば、ビデオエンジニアによる操作により大きな自由度を持たせることが可能となる。
【００６８】
［第３実施形態］
次に、本発明の第３実施形態について説明する。なお、ここでは本実施形態に特有の事項を中心に説明し、前実施形態において既に説明した事項については説明を省略する場合がある。
本実施形態では、アイリスとマスターゲインとを一体のボリュームで制御するモード（第１実施形態で説明した制御方法）と、アイリスの開口径を自動的に制御するオートアイリスモードとを切り替えられるようにする。
【００６９】
図６は、本実施形態による撮影制御装置の概略機能構成を示すブロック図である。図示するように、撮影制御装置３は、制御部１１と、設定記憶部１２と、モード切替部２２とを含んで構成される。なお、モード切替部２２を「オートアイリスモード切替部」とも呼ぶ。
モード切替部２２は、アイリスとマスターゲインとを一体のボリュームで制御する操作モード（これを、便宜上、「モードＡ」と呼ぶ）と、アイリスの開口径を自動的に制御するモード（オートアイリスモード。これを、便宜上、「モードＣ」あるいは「オートアイリスモード」と呼ぶ）とを切り替える。モード切替部２２は、例えば、図３（第１実施形態）に示したコントロールパネル上のスイッチをビデオエンジニアが操作することをトリガーとして、モードＡとモードＣとの間の切替を行う。
【００７０】
オートアイリスモード（モードＣ）では、カメラに入光する光の光量の測定結果に基づいてアイリス開口径を自動的に制御する。具体的には、オートアイリスモード（モードＣ）では、カメラ５の撮像素子付近に設けられた受光部で光量を計測し、その計測された光量に応じて、アイリス８２の開口径を自動的に制御する。この自動制御により、カメラ５は、標準的な光量で映像を撮影する。なお、オートアイリスモードは、「自動露出制御」などとも呼ばれる。このオートアイリスモードによる制御自体は既存の技術により実現可能である。
【００７１】
モードＡからモードＣへの、あるいはモードＣからモードＡへの切り替えをモード切替部２２が行ったとき、アイリス８２を制御するためのｆの値が不連続に変化することがある。このｆの値の不連続な変化をそのままアイリス８２の制御に適用すると、画面の明るさが急激に変わり、映像における切り替えショックが発生してしまう。また、モードＡからモードＣへの、あるいはモードＣからモードＡへの切り替えをモード切替部２２が行ったとき、同様に、信号増幅手段８３を制御するためのｇの値が不連続に変化することがある。このｇの値の不連続な変化をそのまま信号増幅手段８３の制御に適用すると、画面の明るさが急激に変わり、映像における切り替えショックが発生してしまうことがある。
【００７２】
そこで、本実施形態においては、モード切替部２２によるモードの切り替えが行われたとき、制御部１１は、所定の時定数に基づいて、切り替え前の制御値から切替後の制御値へのスムーズな移行が起こるような制御を行う。具体的には、例えば、アイリス８２を制御するための制御値ｆに関して、切り替え時点でのｆ値であるｆｓから、切り替え後の目標値としてのｆ値であるｆｔまで、推移過程においてｆ値が連続するように、制御部１１は制御を行う。また、その推移過程において、ｆ値の時間微分である（ｄｆ／ｄｔ）の値が連続するように、制御部１１は制御を行う。また、信号増幅手段８３を制御するための制御値ｇに関しても、切り替え時点でのｇ値であるｇｓから、切り替え後の目標値としてのｇ値であるｇｔまで、推移過程においてｇ値が連続するように、制御部１１は制御を行う。また、その推移過程において、ｇ値の時間微分である（ｄｇ／ｄｔ）の値が連続するように、制御部１１は制御を行う。
【００７３】
なお、上記の時定数として、例えばＴ（単位は、秒）を用いる。このＴの値も、設定値の１つとして、設定記憶部１２に予め記憶させておく。このＴは、モード切替後に、制御値が目標値に達するまでに要する時間である。Ｔの値が小さいほど制御部１１は制御値を急激に変化させ、Ｔの値が大きいほど制御部１１は制御値を緩やかに変化させる。Ｔに関する設定値は任意であるが、例えばＴの長さが数秒程度になるように設定する。
【００７４】
モード切替部２２によるモード切替の後、制御部１１が出力するｆの値およびｇの値は、第２実施形態において説明した値と同様である。即ち、モード切替の時点をｔ＝０として、経過時間ｔの値に応じて、式（７）〜式（１２）を用いて説明したｆおよびｇの値を、制御部１１は出力する。
【００７５】
本実施形態によれば、以上において説明したように、モード切替部２２が、ボリューム一体制御オンモードからオートアイリスモードに切り替え、あるいはオートアイリスモードからボリューム一体制御オンモードに切り替えた場合には、制御部１１は、当該モード切替前におけるアイリス開口径からモード切替後におけるアイリス開口径へアイリス開口径がなめらかに変化するように制御するとともに、モード切替前における増幅率からモード切替後における増幅率へ前記映像信号増幅手段における増幅率がなめらかに変化するように制御する。ここで、アイリス開口径あるいは増幅率が「なめらかに」変化するように制御するということは、アイリス開口径の値あるいは増幅率の値が時間経過に対して連続であり、また、アイリス開口径の時間微分の値あるいは増幅率の時間微分の値が、時間経過に対して連続であるように制御することである。言い換えれば、制御部１１は、アイリス開口径の値あるいは増幅率の値に関して、急激かつ不連続的に変化を生じさせないように制御する。本実施形態の説明において示した数式は、制御部１１がこれらの値をなめらかに変化させるための例である。
これにより、モードＡとモードＣとの間でのモード切替の際にも、映像における切り替えショックを回避することができる。そのため、本実施形態によれば、ビデオエンジニアによる操作により大きな自由度を持たせることが可能となる。
【００７６】
なお、本実施形態では、ボリューム一体制御オンモードからオートアイリスモードに切り替え、あるいはオートアイリスモードからボリューム一体制御オンモードに切り替えた場合の両方において、制御部１１は、当該モード切替前におけるアイリス開口径からモード切替後におけるアイリス開口径へアイリス開口径がなめらかに変化するように制御するとともに、モード切替前における増幅率からモード切替後における増幅率へ前記映像信号増幅手段における増幅率がなめらかに変化するように制御することとした。これを、次のような変形例で実施するようにしてもよい。即ち、ボリューム一体制御オンモードからオートアイリスモードに切り替える場合にのみ、制御部１１が、上記のなめらかな変化となるような制御をするようにしてもよい。また、オートアイリスモードからボリューム一体制御オンモードに切り替える場合にのみ、制御部１１が、上記のなめらかな変化となるような制御をするようにしてもよい。また、これらの切替が行われた場合に、制御部１１が、アイリス開口径のみがなめらかに変化するように制御するようにしてもよい。また、これらの切替が行われた場合に、制御部１１が、映像信号増幅手段における増幅率のみがなめらかに変化するように制御するようにしてもよい。
また、第２実施形態の構成と第３実施形態の構成を組み合わせてもよい。即ち、この場合、モードＡとモードＢとの間におけるモード切り替え時、またモードＡとモードＣとの間におけるモード切り替え時の両方において、時定数Ｔに基づき、値ｆや値ｇを滑らかに変化させるようにする。
【００７７】
なお、上述した各実施形態における撮影制御装置の機能をコンピューターで実現するようにしても良い。その場合、上で述べた撮影制御装置の機能を実現するためのプログラムをコンピューター読み取り可能な記録媒体に記録して、この記録媒体に記録されたプログラムをコンピューターシステムに読み込ませ、実行することによって実現しても良い。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリのように、一定時間プログラムを保持しているものも含んでも良い。また上記プログラムは、前述した機能の一部を実現するためのものであっても良く、さらに前述した機能をコンピューターシステムにすでに記録されているプログラムとの組み合わせで実現できるものであっても良い。
【００７８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７９】
本発明は、映像コンテンツを制作する事業において利用することができる。また、本発明は、映像コンテンツ制作のための機器を設計・製造する事業等においても利用することができる。
【符号の説明】
【００８０】
１，２，３  撮影制御装置（映像信号増幅手段）
５−１〜５−８  カメラ
６−１〜６−８  カメラコントロールユニット
７  映像処理装置
８  映像制作システム（カメラシステム）
１１  制御部
１２  設定記憶部
２１  モード切替部
２２  モード切替部（オートアイリスモード切替部）
８１  ボリューム
８２  アイリス
８３  信号増幅手段
【図１】
0006655447.tif 000014
【図２】
0006655447.tif 000015
【図３】
0006655447.tif 000016
【図４】
0006655447.tif 000017
【図５】
0006655447.tif 000018
【図６】
0006655447.tif 000019